(57)【要約】      （修正有）【課題】ネットワークの接続状態を便利に確認できるキーボード及びこれを備えた電子装置を提供する。【解決手段】キーボード２３は、キーボード本体と、キーボード本体に設けられているキーボードポート２３３と、信号処理モジュール２３７と、信号処理モジュールに電気的に接続されている接続状態表示灯２３９と、を備える。キーボード本体は、キーボードポートを介してマイクロチップ２１１を備えるホスト２１に接続される。ホストは、マイクロチップを介して対応する制御信号を出力し、制御信号は、キーボードポートによって信号処理モジュールに伝送され、信号処理モジュールは、受信した制御信号に対して処理し、且つ対応する駆動信号を出力して、接続状態表示灯を点灯又は消灯させて、マイクロチップとローカルエリアネットワークとのネットワークの接続状態を表示する。【選択図】図３
2013232194.tif 000002
【特許請求の範囲】
【請求項１】
キーボード本体及び前記キーボード本体に設けられているキーボードポートを備え、前記キーボード本体が前記キーボードポートを介してマイクロチップを備えるホストに接続されるキーボードにおいて、
前記キーボードは、信号処理モジュール及び前記信号処理モジュールに電気的に接続されている接続状態表示灯をさらに備え、
前記ホストは、前記マイクロチップを介して対応する制御信号を出力し、
前記制御信号は、前記キーボードポートによって前記信号処理モジュールに伝送され、
前記信号処理モジュールは、受信した前記制御信号に対して処理し、且つ対応する駆動信号を出力して、前記接続状態表示灯を点灯又は消灯させて、前記マイクロチップとローカルエリアネットワークとのネットワークの接続状態を表示することを特徴とするキーボード。
【請求項２】
前記キーボードは、信号復調モジュールをさらに備え、
前記信号復調モジュールは、前記キーボードポート及び前記信号処理モジュールに接続され、
前記信号復調モジュールは、前記キーボードポートが受信した制御信号及びＵＳＢバス信号に対して処理して、この２つの信号から制御信号を復調し、且つ前記制御信号を前記信号処理モジュールに伝送させることを特徴とする請求項１に記載のキーボード。
【請求項３】
前記信号処理モジュールは、データピン及び複数のアイドルピンを備え、
前記データピンは、前記信号復調モジュールに接続されて、前記制御信号を受信し、
前記複数のアイドルピンの中の１つは、前記接続状態表示灯の陰極に接続され、
前記接続状態表示灯の陽極は、電源に接続され、残りのアイドルピンは浮いていることを特徴とする請求項２に記載のキーボード。
【請求項４】
前記マイクロチップと前記ローカルエリアネットワークとのネットワークの接続が確立されなかった場合、前記マイクロチップは、第一制御信号を出力し、且つ前記キーボードポートを介して前記第一制御信号を前記信号処理モジュールに伝送し、
前記信号処理モジュールは、受信した前記第一制御信号に対して処理を行ない、対応する第一駆動信号を出力して、前記接続状態表示灯を消灯させることを特徴とする請求項１から３のいずれか一項に記載のキーボード。
【請求項５】
前記マイクロチップと前記ローカルエリアネットワークとのネットワークの接続が確立された場合、前記マイクロチップは、第二制御信号を出力し、且つ前記キーボードポートを介して前記第二制御信号を前記信号処理モジュールに伝送し、
前記信号処理モジュールは、受信した前記第二制御信号に対して処理を行ない、対応する第二駆動信号を出力して、前記接続状態表示灯を点灯させることを特徴とする請求項１から４のいずれか一項に記載のキーボード。
【請求項６】
キーボード本体及び前記キーボード本体に設けられているキーボードポートを備えるキーボードと、前記キーボードポートを介して前記キーボード本体が接続されるマイクロチップを備えるホストと、備える電子装置において、
前記キーボードは、信号処理モジュール及び前記信号処理モジュールに電気的に接続されている接続状態表示灯をさらに備え、
前記ホストは、前記マイクロチップを介して対応する制御信号を出力し、
前記制御信号は、前記キーボードポートによって前記信号処理モジュールに伝送され、
前記信号処理モジュールは、受信した前記制御信号に対して処理し、且つ対応する駆動信号を出力して、前記接続状態表示灯を点灯又は消灯させて、前記マイクロチップとローカルエリアネットワークとのネットワークの接続状態を表示することを特徴とする電子装置。
【請求項７】
前記ホストは、信号変換モジュールをさらに備え、
前記信号変換モジュールは、前記マイクロチップに接続されて、前記マイクロチップが出力した制御信号に対して処理して、前記制御信号を前記キーボードポートが受信できる制御信号に変換又はマッチングさせることを表示することを特徴とする請求項６に記載の電子装置。
【請求項８】
前記マイクロチップは、接続状態信号ピンを備え、前記制御信号を出力するために用いられ、
前記信号変換モジュールは、前記接続状態信号ピンにおける電圧を前記キーボードポートが受信できる電圧に変換させると同時に、前記接続状態信号ピンから出力されるシミュレーション信号を前記キーボードポートが受信できるデジタル信号に変換させることを特徴とする請求項７に記載の電子装置。
【発明の詳細な説明】
【技術分野】
【０００１】
本発明は、キーボード及びこれを備えた電子装置に関するものである。
【背景技術】
【０００２】
コンピュータには、ネットワークの接続状態を示す表示灯が設けられている。これら表示灯は、一般的にコンピュータのＲＪ４５ポートに設けられる。図１に示したように、従来のネットワークに接続されている表示灯回路１００は、マイクロチップ１１、ＲＪ４５ポート１３及び接続状態の表示灯１５を備える。マイクロチップ１１の接続状態信号ピンＰＩＮ２５は、ＲＪ４５ポート１３の受信ピンＰＩＮ１１に電気的に接続され、ＲＪ４５ポート１３の受信ピンＰＩＮ１２は、＋３Ｖの電源に電気的に接続され、接続状態の表示灯１５の陽極及び陰極は、それぞれ前記ＲＪ４５ポート１３の受信ピンＰＩＮ１１及び受信ピンＰＩＮ１２に電気的に接続されている。ネットワークが接続された場合、マイクロチップ１１の接続状態信号ピンＰＩＮ２５が、低レベルの電圧を出力することによって、接続状態の表示灯１５は導通されて発光する。また、ネットワークが接続されない場合、マイクロチップ１１の接続状態信号ピンＰＩＮ２５が、高レベルの電圧を出力することによって、接続状態の表示灯１５は遮断されて発光しない。
【０００３】
しかし、従来のコンピュータにおいて、ＲＪ４５ポート１３は、一般的にホストの背面に設けられているため、接続状態の表示灯１５もホストの背面に設けられる。従って、ユーザーがコンピュータを使用する過程において、ネットワークの接続状態を確認するのに不便である。
【発明の概要】
【発明が解決しようとする課題】
【０００４】
以上の問題点に鑑みて、本発明は、ネットワークの接続状態を便利に確認できるキーボード及びこれを備えた電子装置を提供することを目的とする。
【課題を解決するための手段】
【０００５】
前記課題を解決するために、本発明に係るキーボードは、キーボード本体と、前記キーボード本体に設けられているキーボードポートと、信号処理モジュールと、前記信号処理モジュールに電気的に接続されている接続状態表示灯と、を備える。前記キーボード本体は、前記キーボードポートを介してマイクロチップを備えるホストに接続される。前記ホストは、前記マイクロチップを介して対応する制御信号を出力し、前記制御信号は、前記キーボードポートによって前記信号処理モジュールに伝送され、前記信号処理モジュールは、受信した前記制御信号に対して処理し、且つ対応する駆動信号を出力して、前記接続状態表示灯を点灯又は消灯させて、前記マイクロチップとローカルエリアネットワークとのネットワークの接続状態を表示する。
【０００６】
また、前記課題を解決するために、本発明に係る電子装置は、キーボード本体及び前記キーボード本体に設けられているキーボードポートを備えるキーボードと、前記キーボードポートを介して、前記キーボード本体が接続されるマイクロチップを備えるホストと、を備える。前記キーボードは、信号処理モジュール及び前記信号処理モジュールに電気的に接続されている接続状態表示灯をさらに備え、前記ホストは、前記マイクロチップを介して対応する制御信号を出力し、前記制御信号は、前記キーボードポートによって前記信号処理モジュールに伝送され、前記信号処理モジュールは、受信した前記制御信号に対して処理し、且つ対応する駆動信号を出力して、前記接続状態表示灯を点灯又は消灯させて、前記マイクロチップとローカルエリアネットワークとのネットワークの接続状態を表示する。
【発明の効果】
【０００７】
本発明に係る電子装置は、接続状態表示灯がキーボード本体に設けられ、また、該キーボード本体内の信号処理モジュールの使用されないアイドルピンを利用して、該接続状態表示灯に対して制御して、マイクロチップとＬＡＮとのネットワークの接続状態を表示する。従って、電子装置を使用する過程において、キーボード本体の前記接続状態表示灯が設けられている面が、常にユーザーに対面するので、ネットワークの接続状態を随時に確認することができる。
【図面の簡単な説明】
【０００８】
【図１】従来のネットワークに接続されている表示灯回路を示す図である。
【図２】本発明に係る電子装置のキーボードを示す図である。
【図３】本発明に係る電子装置の回路図である。
【発明を実施するための形態】
【０００９】
以下、図面に基づいて、本発明に係るキーボード及びこれを備えた電子装置について詳細に説明する。
【００１０】
図２及び図３を参照すると、本発明に係る電子装置（例えば、コンピュータ等）２００は、ホスト２１及びキーボード２３を備える。キーボード２３は、キーボード本体２３１、キーボードポート２３３、信号復調モジュール２３５、信号処理モジュール２３７及び接続状態表示灯２３９を備える。キーボード２３は、キーボードポート２３３を介してホスト２１に接続されて、該ホスト２１と通信を確立し、且つ接続状態表示灯２３９によって、ホスト２１とローカルエリアネットワーク（ＬＡＮ）との接続状態を表示する。キーボード本体２３１には、複数のキー２３１１が設けられている。接続状態表示灯２３９は、発光ダイオードであり、且つキーボード本体２３１の表面に設けられている。
【００１１】
ホスト２１は、マイクロチップ２１１及び信号変換モジュール２１３を備える。マイクロチップ２１１は、ホスト２１とＬＡＮとのデータ通信を実現し、且つ接続状態信号ピンＬＥＤを備える。マイクロチップ２１１は、接続状態信号ピンＬＥＤを介して対応する制御信号を出力して、該マイクロチップ２１１とＬＡＮとの接続状態を表示する。例えば、マイクロチップ２１１が、接続状態信号ピンＬＥＤを介して第一制御信号（例えば、高レベルの電圧）を出力する場合、マイクロチップ２１１とＬＡＮとのネットワークの接続は確立されなかったことを表示し、マイクロチップ２１１が接続状態信号ピンＬＥＤを介して第二制御信号（例えば、低レベルの電圧）を出力する場合、マイクロチップ２１１とＬＡＮとのネットワークの接続は確立されたことを表示する。
【００１２】
信号変換モジュール２１３は、接続状態信号ピンＬＥＤに接続されて、該接続状態信号ピンＬＥＤから出力される制御信号を処理して、キーボードポート２３３が受信できる制御信号に変換（又は、マッチング）させる。具体的には、信号変換モジュール２１３は、接続状態信号ピンＬＥＤからの＋３Ｖの電圧を、キーボードポート２３３が必要とする＋５Ｖの電圧に変換させる。さらに、該信号変換モジュール２１３は、接続状態信号ピンＬＥＤから出力されるシミュレーション信号を、キーボードポート２３３が必要とするデジタル信号に変換させる。
【００１３】
キーボードポート２３３は、ＵＳＢポートであり、且つ電源ピンＶＣＣ、第一データピンＤ＋、第二データピンＤ−及び接地ピンＧＮＤを備える。電源ピンＶＣＣは、＋５Ｖの電源に接続され、第一データピンＤ＋及び第二データピンＤ−は、信号変換モジュール２１３に接続されて、該信号変換モジュール２１３を介して、接続状態信号ピンＬＥＤが出力する制御信号を受信する。接地ピンＧＮＤは接地する。
【００１４】
本実施形態において、信号復調モジュール２３５は、復調器（Ｄｅｍｏｄｕｌａｔｏｒ）であり、且つ前記第一データピンＤ＋及び第二データピンＤ−に接続される。キーボードポート２３３は、接続状態信号ピンＬＥＤからの制御信号を受信すると同時に、ＵＳＢバス信号も受信するので、信号復調モジュール２３５は、該キーボードポート２３３が受信した信号に対して処理を行って、制御信号をＵＳＢバス信号から復調させる（即ち、制御信号とＵＳＢバス信号とを分離させる）。
【００１５】
信号処理モジュール２３７は、ＥＭ７８４４８Ａ／Ｂ型のシングルチップマイクロコンピュータ（ＳＣＭ）であり、且つキーボード本体２３１の内部に設置される。また、信号処理モジュール２３７は、データピンＤＡＴＡ及び複数のアイドルピン（使用されず、且つ浮いているピン）Ｐ９２〜Ｐ９４を備える。前記データピンＤＡＴＡは、信号復調モジュール２３５に接続されて、該信号復調モジュール２３５からの制御信号を受信する。複数のアイドルピンの中の１つ（例えば、アイドルピンＰ９２）は、接続状態表示灯２３９の陰極に接続され、該接続状態表示灯２３９の陽極は、抵抗Ｒを介して＋５Ｖの電源に接続され、残りのアイドルピン（例えば、アイドルピンＰ９３、Ｐ９４）は浮いている。これにより、信号処理モジュール２３７は、信号復調モジュール２３５からの制御信号を受信した後、該制御信号に対して処理を行い、且つ前記アイドルピンＰ９２を介して対応する駆動信号を出力することによって、接続状態表示灯２３９の点灯及び消灯を制御して、マイクロチップ２１１とＬＡＮとの接続状態を表示する。例えば、信号処理モジュール２３７がデータピンＤＡＴＡを介して第一制御信号を受信した場合、信号処理モジュール２３７は、アイドルピンＰ９２を介して第一駆動信号（例えば、高レベル電圧）を出力して、接続状態表示灯２３９を消灯させて、マイクロチップ２１１とＬＡＮとのネットワークの接続が確立されなかったこと（遮断されたこと）を表示する。また、信号処理モジュール２３７がデータピンＤＡＴＡを介して第二制御信号を受信した場合、信号処理モジュール２３７は、アイドルピンＰ９２を介して第二駆動信号（例えば、低レベル電圧）を出力して、接続状態表示灯２３９を点灯させて、マイクロチップ２１１とＬＡＮとのネットワークの接続が確立されたこと（導通されたこと）を表示する。
【００１６】
電子装置２００を使用する場合、先ず、キーボード２３のキーボードポート２３３をホスト２１に挿入して接続させる。これにより、キーボード２３の第一データピンＤ＋及び第二データピンＤ−は信号変換モジュール２１３に接続され、該キーボード２３は、信号変換モジュール２１３を介して、接続状態信号ピンＬＥＤが出力した制御信号を受信する。
【００１７】
マイクロチップ２１１とＬＡＮとのネットワークの接続が確立されなかった場合、マイクロチップ２１１は、接続状態信号ピンＬＥＤを介して、対応する第一制御信号を出力して、信号変換モジュール２１３に伝送させる。該第一制御信号は、信号変換モジュール２１３によって、キーボードポート２３３が受信できるデジタル信号に変換される。キーボードポート２３３は、第一制御信号及び対応するＵＳＢバス信号を受信し、且つ該２つの信号を信号復調モジュール２３５に伝送させる。信号復調モジュール２３５は、受信した２つの信号からＵＳＢバス信号を復調させ、前記第一制御信号を信号処理モジュール２３７に伝送させる。信号処理モジュール２３７は、受信した前記第一制御信号に対して処理を行い、且つアイドルピンＰ９２を介して対応する第一駆動信号を出力して、接続状態表示灯２３９を消灯させて、マイクロチップ２１１とＬＡＮとのネットワークの接続が確立されなかった（遮断された）ことを表示する。
【００１８】
同様に、マイクロチップ２１１とＬＡＮとのネットワークの接続が確立された場合、マイクロチップ２１１は、接続状態信号ピンＬＥＤを介して、対応する第二制御信号を出力する。該第二制御信号は、信号変換モジュール２１３、キーボードポート２３３、信号復調モジュール２３５を順に経過した後、信号処理モジュール２３７に伝送される。信号処理モジュール２３７は、受信した前記第二制御信号に対して処理を行い、且つアイドルピンＰ９２を介して、対応する第二駆動信号を出力して、接続状態表示灯２３９を点灯させて、マイクロチップ２１１とＬＡＮとのネットワークの接続が確立された（導通された）ことを表示する。
【００１９】
本発明に係る電子装置２００は、接続状態表示灯２３９がキーボード本体２３１に設けられ、また、該キーボード本体２３１内の信号処理モジュール２３７の使用されないアイドルピンＰ９２を利用して、該接続状態表示灯２３９に対して制御して、マイクロチップ２１１とＬＡＮとのネットワークの接続状態を表示する。従って、電子装置２００の使用過程において、キーボード本体２３１の前記接続状態表示灯２３９が設けられている面が、常にユーザーに対面するので、ネットワークの接続状態を随時確認することができる。
【００２０】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００２１】
１００    表示灯回路
１１、２１１    マイクロチップ
１３    ＲＪ４５ポート
１５、２３９    接続状態表示灯
ＰＩＮ２５、ＬＥＤ    接続状態信号ピン
ＰＩＮ１１、ＰＩＮ１２    受信ピン
２００    電子装置
２１    ホスト
２１３    信号変換モジュール
２３    キーボード
２３１    キーボード本体
２３１１    キー
２３３    キーボードポート
２３５    信号復調モジュール
２３７    信号処理モジュール
ＶＣＣ    電源ピン
Ｄ＋    第一データピン
Ｄ−    第二データピン
ＧＮＤ    接地ピン
ＤＡＴＡ    データピン
Ｐ９２、Ｐ９３、Ｐ９４    アイドルピン
【図１】
2013232194.tif 000003
【図２】
2013232194.tif 000004
【図３】
2013232194.tif 000005